(57)【特許請求の範囲】
【請求項１】
前面に空気吸込口が設けられた筐体と、
第一パネルと、第二パネルと、該第一パネルと第二パネルとを接続するパネル接続部と、を有する折れ曲がり可能な可動前面パネルと、
前記可動前面パネルを駆動させるパネル駆動機構部と、を備えた空気調和機であって、
前記パネル駆動機構部は、円弧動作をする第一アームと、前記可動前面パネルと接続される第二アームと、該第一アームと第二アームを連結するアーム連結部と、前記第二アームに設けられたガイド受部を案内する前方下方に湾曲した形状を有するガイド部と、を有し、
前記可動前面パネルの開放時に、前記アーム連結部は、前方下方に動作し始める
ことを特徴とする空気調和機。
【請求項２】
請求項１において、前記ガイド部は、後方から前方にかけて下方に凸な略円弧形状である空気調和機。
【請求項３】
請求項２において、前記第二アームは、前記第一アームより長い空気調和機。
【請求項４】
請求項１において、
前記可動前面パネルが閉じている状態において、第一傾斜面は後方に鈍角を成す傾斜面を有し、第二傾斜面は後方に鋭角を成す傾斜面を有したことを特徴とする空気調和機。
【請求項５】
請求項４において、
前記第一パネルの表面部の先端は鈍角、前記第二パネルの表面部の先端は鋭角に形成し、かつ、前記可動前面パネルが閉じた状態で、前記可動前面パネルの前面がほぼ平坦になる空気調和機。
【請求項６】
請求項１において、
前記筐体上面前方に、上下風向板を有した吹出口を備えている空気調和機。
【請求項７】
請求項６において、
少なくとも前記第二パネルは、吸込部であるグリルを備えている空気調和機。
【請求項８】
請求項７において、
前記第一パネルの上部に平坦面を備え、前記可動前面パネルが閉じた状態で、該平坦面は、前記上下風向板と連なって平坦な上面の一部を形成している空気調和機。
【請求項９】
請求項８において、
第一パネルの上部に傾斜面を備え、前記可動前面パネルが開いた状態で、該傾斜面は、前記吹出口と連なっている空気調和機。
【発明の詳細な説明】
【技術分野】
【０００１】
本発明は、空気調和機に関するものであり、特に、筐体の前面に開閉する可動前面パネルを設けた空気調和機に関するものである。
【背景技術】
【０００２】
空気調和機の可動前面パネルの形態として、特許文献１のように、第１パネルは、吹出し口を開閉し、吹出し口を閉じた状態において正面視において吹出し口よりも大きな投影面積を有し、一方、第２パネルは、吸込み口を開閉し、吸込み口を閉じた状態において正面視において吸込み口よりも大きな投影面積を有し、パネル間の端部とは接続部分を中心に回転可能に接続されているものが提案されている。
【先行技術文献】
【特許文献】
【０００３】
【特許文献１】特開2005-98686
【発明の概要】
【発明が解決しようとする課題】
【０００４】
前記特許文献１の空気調和機の室内機については、パネルの移動機構やパネル間の接続機構については具体的な開示が無い。このような室内機では、例えば図７で示すとおり、パネル移動機構２００の押し出し動作により、第一パネル２０１のみが筐体２０２から離反する方向へとパネル接続部２０３を中心に回転する一方で、第二パネル２０４がケージング本体から離反せずに、正面パネルがいわゆる略“へ”の字形状になることがある。そして、特に下方の吸込口２０５が大きく開放されないことからの吸込み量を減少し、特に下方の熱交換器２０６の仕事率が低下する場合があった。
【０００５】
また、第一パネル２０１と第二パネル２０４にそれぞれ移動機構を備えて、第二パネル２０４がケージング本体から離反するように制御して、前面パネル開口時に略くの字状になるよう制御することも考えられるが、限られた大きさの筐体内に複数の移動機構に備える必要があるので、設計上の困難があった。
【０００６】
本発明は、前面パネルを開閉が屈曲して吸込口の開口面積を増やすものであって、スムースな開閉の実現または屈曲部分の隙間を小さくすることができる空気調和機を提供する。
【課題を解決するための手段】
【０００７】
上記課題を解決するために、空気調和機は、前面に空気吸込口が設けられた筐体と、第一パネルと、第二パネルと、該第一パネルと第二パネルとを接続するパネル接続部と、を有する折れ曲がり可能な可動前面パネルと、前記可動前面パネルを駆動させるパネル駆動機構部と、を備えた空気調和機であって、前記パネル駆動機構部は、円弧動作をする第一アームと、前記可動前面パネルと接続される第二アームと、該第一アームと第二アームを連結するアーム連結部と、前記第二アームに設けられたガイド受部を案内する前方下方に湾曲した形状を有するガイド部と、を有し、前記可動前面パネルの開放時に、前記アーム連結部は、前方下方に動作し始める。
【発明の効果】
【０００８】
本発明によれば、前面パネルを開閉が屈曲して吸込口の開口面積を増やすものであって、スムースな開閉の実現または屈曲部分の隙間を小さくすることができる空気調和機を提供することができる。
【０００９】
上記した以外の課題、構成及び効果は、以下の実施形態の説明により明らかにされる。
【図面の簡単な説明】
【００１０】
【図１】実施例１に係る空気調和機の説明図
【図２】実施例１に係る空気調和機の内部構造についての説明図
【図３】可動前面パネルのパネル接続部を後方から見た拡大斜視図
【図４】可動前面パネルの動作について側面からみた部分拡大図
【図５】本発明の実施例２に係る床置式の空気調和機の説明図
【図６】実施例２に係る空気調和機の開閉状態の説明図
【図７】従来例の可動前面パネルの動作説明図
【発明を実施するための形態】
【００１１】
以下、図１から図６を参照して、この発明に係る空気調和機を具体的に説明する。
【実施例１】
【００１２】
本実施例では、パネル駆動機構により可動前面パネルを屈曲させて開くことができる空気調和機の例を説明する。
【００１３】
先ず、図１を参照して、この実施例に係る空気調和機の概略構造を説明する。図１は、実施例１に係る空気調和機の説明図である。（Ａ）図は運転停止時の外観斜視図、（Ｂ）図は可動前面パネル開放時の外観斜視図、（Ｃ）図は、従来の一例と本実施例との可動前面パネルを開いた状態を比較した断面図である。
【００１４】
図１において、この実施例の空気調和機は、送風ファンを備えて室内の壁面に取り付けられ、図示しない冷媒配管を介して、屋外に設置される圧縮機を備えた図示しない室外機と接続することで、冷暖房または除湿を可能にするものである。
【００１５】
この空気調和機１は、奥行寸法と高さ寸法がほぼ同じで、この高さ寸法より横幅寸法が大きい横長の筐体２を備えている。筐体２の下方には、吹出部３を備え、後述する環流フアン１３から吹き出される空気を前方に吹き出せるように、筐体２の下方を大きく開放するように長手方向に沿って形成される。この吹出部３には、可動ルーバ４が設けられている。この可動ルーバ４は、図示しないルーバ駆動機構部を介して、吹出部３を封鎖した状態と、吹出部３を開放して空気流を所定の方向に案内するように所定の角度に動作させることができる。
【００１６】
この筐体２の前面には、上部に設けられる第一パネル５と下部に設けられる第二パネル６とが後述するパネル接続部７を介して接続された可動前面パネル８が設けられている。この可動前面パネル８は、その下端を後述するパネル支持軸１７に支持され、上部を後述するパネル駆動機構部２０に接続され、このパネル駆動機構部２０の駆動により吸込部９を封鎖した状態と、吸込部９を開放して空気を筐体２内にできるように開放した状態と、に動作させることができる。
【００１７】
次に、図１（Ｂ）における可動前面パネル８が開放した状態を説明する。可動前面パネル８の開放時に、第一パネル５は縦姿勢を保ったまま筐体２より離反し、一方で、第二パネル６の上端が筐体２から離反することによって、第一パネル５と第二パネル６とがパネル接続部７を介して、可動前面パネル８を略“Ｌ”字や“く”の字状に屈曲して開放する。
【００１８】
そして、一枚の可動前面パネルを設けた従来例と本願発明との開口面積を比較した（Ｃ）図に示す通り、本願の可動前面パネル８は、前面吸込部の全面に大きく開口スペースを確保できるので（開口面積Ｓの分）、熱交換器対して多くの空気を供給することができる。また、一枚の可動前面パネルでは吸い込んだ空気は熱交換器の上部に集まりやすい。しかし、本願では、可動前面パネル８が屈曲して開放する、つまり、可動前面パネル８をより下方に移動させることができるので、より大きく吸込部を開放できる。更に、可動前面パネル８を開放した際に、開口面積Ｓの分だけ熱交換器の下部Ｕに対しても、空気を供給することができ、熱交換器の効率的な活用ができる。
【００１９】
次に、図２は、この実施例に係る空気調和機の内部構造についての、特に、パネル駆動機構部２０の構成及びその動作についての説明図である。なお、図２（Ａ）は可動前面パネル８の閉鎖時の概略断面図であり、（Ｂ）は可動前面パネル８の変化する動作状態を示した概略断面図である。
【００２０】
筐体２の上部に形成される上部吸込部１０と、筐体２の前部に形成される前部吸込部１１とから構成される吸込部９から取り込んだ空気を筐体２の下面の前部に形成される吹出部３から吹き出す空気流路１２が内部に形成されている。そして、この空気流路１２の中央に位置するように、その長手方向をこの筐体２の長手方向と一致するように配置される環流フアン１３と、この環流フアン１３の前方と上方を覆うように配置される熱交換器１４とが内蔵されている。
【００２１】
筐体２のほぼ中央に配置される環流フアン１３の前後には、前部ドレン皿１５と、後部ドレン皿１６が設けられ、この前部ドレン皿１５と後部ドレン皿１６を跨いで環流フアン１３の上部を覆うように熱交換器１４が配置されている。
【００２２】
また、この実施例の室内空気の取り入れ口は、可動前面パネル８がパネル駆動機構部２０によって開閉可能に設けられ前部吸込部１１を開閉する構成である。この実施例では、上部吸込部１０は上面に設けられ、前部吸込部１１は、例えば、ほぼ垂直な筐体２前面の上部３／５程度の大きさをもって形成される。そして、この実施例では、可動前面パネル８を開閉することによって、筐体２の前面に形成される前部吸込部１１を開閉し、この前部吸込部１１から流入した空気が筐体２前面の上部に形成される上部吸込部１０に空気を吸込み可能にする構造を備えている。なお、筐体２の上面に孔を設けて、この孔から上部吸込部１０に空気を送り込んでも良い。
【００２３】
また、吹出部３は、環流フアン１３から吹き出される空気を前方に吹き出せるように、環流フアン１３と前部ドレン皿１５の下方を大きく開放するように、筐体２の長手方向に沿って形成される。この吹出部３には、可動ルーバ４が設けられている。この可動ルーバ４は、図示しないルーバ駆動機構部を介して、吹出部３を封鎖した状態と、吹出部３を開放して空気流を所定の方向に案内するように所定の角度に動作させることができる。
【００２４】
この実施例では、環流フアン１３や、後述するパネル駆動機構部２０及びルーバ駆動機構部などは、筐体２内に設けられる図示しない制御部によって統括制御され、また、この制御部は図示しない遠隔操作装置によって操作指示を受け付けることができる。
【００２５】
また、可動前面パネル８は、板状の部材で形成された上部パネル５と下部パネル６とから構成されている。上部パネル５と下部パネル６とは、パネル接続部７を介して回転可能に接続されている。その下部パネル６の下端部と、筐体２とは、可動前面パネル回転軸１７を介して可動できるように支持されており、その上部パネル５の上端部は、筐体２内に設けられるパネル駆動機構部２０の第二アーム２２の一端と接続されている。
【００２６】
そして、パネル駆動機構部２０は、第一アーム２１と、第二アーム２２と、ガイド部２３と、図示しない駆動モータとから構成される。第一アーム２１の一端と第二アーム２２の一端とは、アーム連結部２４を介して可動できるよう支持されている。また、第一アーム２１の他端はモータ軸２５であり、図示しない駆動モータ部のギアに接続され、この駆動モータの動作により、モータ軸２５を中心に第一アーム２１は円弧動作をする。また、第二アーム２２には、ガイド部２３上を摺動するガイド受部２６と、可動前面パネル８と接続されているパネル接続部２７とを備えている。第一アーム２１の円弧動作に伴って、第二アーム２２上のガイド受部２６がガイド部２３によって動きが補助されることにより、第二パネル６が前方に押し出されて可動前面パネル８が開閉する。
【００２７】
この実施例に係る空気調和機の特徴の一つは、パネル駆動機構部２０は、円弧動作をする第一アーム２１と、可動前面パネル８（第一パネル５）と接続される第二アーム２２と、第一アーム２１と第二アーム２２を連結するアーム連結部２４と、第二アーム２１に設けられたガイド受部２６を案内する前方下方に湾曲した形状を有するガイド部２３とから構成され、可動前面パネル８の開放動作の際に、アーム連結部２４は、前方下方に動作し始めるように収納した点である。
【００２８】
言い換えると、第二アーム２２のガイド受部２６がガイド部２３の後方の終端に位置した状態で、駆動機構部２０は筐体２の中に収納されている点である。従って、可動前面パネル８の開放の初動の際に、下方向に凸な曲線（円弧）形状を有するガイド部２３に沿ってガイド受部２６が移動することにより、アーム連結部２４が前方下方に動き出すように設置されている。
【００２９】
このパネル駆動機構部２０と可動前面パネル８の開閉動作について、図２（Ｂ）を用いて詳細に説明する。なお、各部の構成は図２（Ａ）と同じなので、同一符号の記載は省略する。可動前面パネル８によって前部吸込部１１を封鎖している状態（イ）から、制御部からの指示により可動前面パネル８の開放動作が開始されると、駆動モータの回転によりモータ軸２５を回転軸として第一アーム２１が回転（円弧動作）する。そして、この第一アーム２１の動きに伴い、アーム連結部２４を介して第二アーム２２が動作する。
【００３０】
この際、前方下方に湾曲する曲線（円弧）形状を含むガイド部２３を設けたので、第二アーム２２（アーム連結部２４）は前方下方に動き出す。つまり、この第二アーム２２の初動の際に、第二アーム２２には前方下方の向きの力Ｎ１が加わることになる。そして、第二アーム２２と可動前面パネル８が接続されるパネル接続部２７を介して、前方下方の向きの力Ｎ２が加わり、第一パネル５が前方下方に押出されるので、パネル接続部７を前方下方に押し出す事ができる（状態（ロ））。
【００３１】
この状態（ロ）から引き続き第一アーム２２の回転動作することにより、第一アーム２１と第二アーム２２とが直線になるように移動し、可動前面パネル８を更に前方に押し出す。あとは、可動前面パネル８の自重によっても、「く」の字状に折れ曲がることになる（状態（ハ））。
【００３２】
係る構成により、第一パネルのみが筐体から離反する可動前面パネルの動作を抑制し（図７の状態）、前面吸込部１１の全面に大きく開口スペースを確保できるので、熱交換器１４に対して、多くの空気を供給することができる。特に、熱交換器１４の下部エリアに対して空気流入量を増加させることができる。
【００３３】
また、可動前面パネル８をＬ字状、又は、くの字状に、第一パネル５から第二パネル６に折れ曲がっていることによって、ショートサーキットを効果的に防止することができる。つまり、吹出部３より吹き出された風が、第二パネル６に沿って流れたとしても、第二パネル６から第一パネル５にかけて吹き出された風が途切れて、再び吸込部より吸入されることを防ぐことができる。また、第二パネル６に沿って空気を吹出すことで、コアンダ効果によって、室内の上側に吹く出すことができるので、室内の温度ムラの発生を抑えることができる。
【００３４】
また、他の特徴として、後方から前方にかけて下方に凸な曲線（円弧）形状のガイド部２３を設けた点である。つまり、第一アーム２１と第二アーム２２が伸びきる位置までガイド部２３を設けた点である。
【００３５】
パネル駆動機構部２０の初動の際に、下方向に凸な曲線（円弧）形状を有するガイド部２３に沿ってガイド受部２６が動作することにより、第二アーム２２には前方下方の向きの力Ｎ１が安定して加わるだけでなく、ガイド部２３に沿ってガイド部２３が前方上方に摺動する。言い換えると、第一アーム２１と第二アーム２２とがほぼ直線になるように移動し、可動前面パネル８を更に前方に押し出し、可動前面パネル８がくの字状に折れ曲がることになる（状態（ハ））。
【００３６】
係る構成により、アームが伸びきるまでガイド部２３によってガイドできるので、安定して可動前面パネル８を略“Ｌ”字や“く”の字状に開放し、その後、可動前面パネル８を閉鎖することができる。更に、ガイド部２３によって、可動前面パネル８を安定して開閉することができるので、パネル接続部７や可動前面パネル回転軸１７対する負荷を低減することができる。
【００３７】
また、他の特徴として、第一アーム２１より第二アーム２２を長くし、可動前面パネル８を閉じた状態では、アーム連結部２４を後方下方に位置した状態で駆動機構部２０を収納する点である。係る構成により、筐体２のパネル駆動機構２０の収納スペースを有効活用しつつ、可動前面パネル８をより前方に、より屈曲させた状態で開放することができる。
【００３８】
なお、図２（Ｂ）において、ガイド受部２６がガイド部２３の最前方部に位置しても、第一アーム２１と第二アーム２２が直線となっていない表現となっているが、これに限られるものではない。ガイド部やガイド受部の位置、また、筐体内のパネル駆動機構を収納する位置を調整することによって、第一アームと第二アームが直線となり、前方下方に最も伸びた状態になるようにガイド部を伸ばしても良い。
【００３９】
なお、この実施例の図１（Ｂ）及び図２（Ｂ）では、ある一定の可動前面パネル８の開閉例を説明したが、これに限られるものではない。パネル駆動機構部２０は、筐体２内に設けられる図示しない制御部によって統括制御され、また、この制御部は図示しない遠隔操作装置によって操作指示を受け付けることができ、例えば、運転モードに合わせて適切な吸気ができるように所定の位置に可動前面パネル８を開いても良いし、使用者の操作指示によって可動前面パネル８の開く位置を決めてもよい。
【００４０】
パネル駆動機構部２０の設置位置は、特に限定は無いが、筐体２の前面上方であれば好ましく、数も複数であっても良い。例えば、筐体２の左右どちらかの端に一つだけ設けても良いし、両端に２つ設けても良い。
【００４１】
次に図３と図４を用いて、パネル接続部の具体的構成について説明する。図３は、可動前面パネルのパネル接続部を後方から見た拡大後方斜視図である。図３（Ａ）は可動前面パネルの第一パネルと第二パネルとを分離させた図であり、図３（Ｂ）は可動前面パネルの第一パネルと第二パネルとを接続させた図である。また、図４は、可動前面パネル８の開閉動作を示す部分拡大図である。
【００４２】
パネル接続部７は、第一パネル５と第二パネル６を回転可能に支持しているパネル回転軸部３０と、このパネル回転軸部３０を保持する回転軸受部３１からなる。（Ａ）に示す通り、パネル回転軸部３０は第二パネル６に設けられており、回転軸受部３１は第一パネル５に設けられている。
【００４３】
パネル回転軸部３０には、回転軸３２が形成されており、回転軸受部３１の孔３３に勘合する。なお、図面とは逆に、第一パネル５にパネル回転軸部３０を設け、第二パネル６に回転軸受部３１を設ける構成としても良い。
【００４４】
第一パネル５の下端と第二パネル６の上端には、それぞれ第一傾斜面（切欠面）３４と第二傾斜面（切欠面）３５とが設けられている。可動前面パネル８が閉じている状態において、第一傾斜面３４は後方に鈍角を成す傾斜面を有し、一方、第二傾斜面３５は後方に鋭角を成す傾斜面を有している。
【００４５】
図３（Ｂ）に示す通り、パネル回転軸部３０の回転軸３２が、回転軸受部３１の孔３３に勘合することによって、第一パネル５と第二パネル６とが接続される。そして、可動前面パネル８が閉じた状態で、これらの第一傾斜面３４と第二傾斜面３５とが対面する。第一傾斜面３４と第二傾斜面３５との間には、可動前面パネル８の開放動作の際に、其々の傾斜面が接触せずに開放できる隙間が存在する。
【００４６】
次に、図４を用いて、可動前面パネル８の開閉動作を説明する。図４は、可動前面パネルの動作について側面からみた部分拡大図である。なお、駆動パネル機構部２０の動作の説明については、図２（Ｂ）で説明済みなので説明と符号は省略する。また、可動前面パネル８とパネル接続部７については、状態（ハ）にのみ符号を付す。
【００４７】
可動前面パネル８が閉じている状態（イ）においては、第一傾斜面３４と第二傾斜面３５とが対面しているので、第一パネル５と第二パネル６とが一連の面として隙間を目立たせなくすることができる。
【００４８】
一方、可動前面パネル８が開放している状態（ハ）においては、第一パネル５と第二パネル６と折れ曲がり動作に伴って、第一傾斜面３４が前方に露出してくる。つまり、第一傾斜面３４と、第二パネル６の前面とが、一連の面として隙間を目立たせなくすることができる。
【００４９】
この実施例に係る空気調和機の特徴の一つは、可動前面パネル８が閉じている状態において、第一傾斜面３４は後方に鈍角を成す傾斜面を有し、一方、第二傾斜面３５は後方に鋭角を成す傾斜面を有した点である。
【００５０】
かかる構成により、第一パネル５の先端部と、第二パネル６の先端部とが合わさって平坦な面を形成し、第一パネル５のみが上端部が筐体２より離反する動き（図７参照）、いわゆる逆反り動作を防ぐことができる。つまり、第一パネル５のみがパネル接続部７を介して離反する動きをしようとしても、第二パネル６の先端部がストッパーとなり、第二パネル６と同じ動きをさせることができる。
【００５１】
また、係る構成により、可動前面パネル８の揺動に伴って生じるパネル接続部７の近傍の隙間を、停止時（可動前面パネル８の閉鎖時）には、可動前面パネル８の閉鎖にともなって生じるパネル接続部７の近傍の隙間は、可動前面パネル８が閉じた状態で、これらの第一傾斜面３４と第二傾斜面３５とが対面するので目立たなくすることができ、また、運転状態（可動前面パネル８の開放時）には、第一傾斜面３４により使用者に対して一連の面として認識させることができるので隙間を目立たなくすることができる。また、可動前面パネルの前面が平坦な面になるので、デザインを施すことが容易になり、デザイン性を向上することができる。
【００５２】
なお、パネル間の隙間を小さくする、また、パネル間の隙間を隠す従来技術として、例えば、特開2012-67435や特開平9-228733が挙げられる。これらは、空気調和機の発明ではないが、パネルとパネルとの接続部分の隙間を小さくする発明として、特開2012-67435には、ドアパネルと吊元パネルからなるフロントパネルを備えるパネル構造において、前記ドアパネルの開口側の平面視の形状が半円であるとともに、前記半円の曲率中心ｒが前記ドアパネルの回動支点ｓと略々同一とするものが提案されている。
【００５３】
更に、特開平9-228733では、相隣接する複数の扉パネルのそれぞれの側端面同士をその相対向する裏側縁部分において枢支連結し、一方の扉パネルの側端面に他方の扉パネルの側端面に着脱自在に当接するパッキン材を付設し、同他方の扉パネルの側端面の表側縁付近に沿って凹溝を形成し、この凹溝に進退自在に挿入されるカバー片を前記パッキン材に一体に突設してなる折り畳み扉であって、この折り畳み扉を収納キャビネットの前面開口部に取り付けるものが提案されている。
【００５４】
しかしながら、前者はドアパネルと吊元パネルを支持する具体的なヒンジ構造が記載されていないが、ヒンジ部材が外観に露出するか、パネル間を接続するヒンジ構造部分がパネル外観に影響を与えて、それぞれのパネルの隣接する外形線が直線にできなくなる。また、後者は隙間が形成されてしまい、この隙間をパッキン材で塞ぐ構造であり、パッキン材が露出してしまうものであった。
【００５５】
そこで、係る課題を解決するために、この実施例に係る空気調和機の大きな特徴の一つとして、第一パネル５の表面部の先端は鈍角、第二パネル６の表面部の先端は鋭角に形成し、かつ、閉じた状態において、ほぼフラットに係止する点である。言い換えると、可動前面パネル８の前面が連続するように、第一パネル５と第二パネル６を分割している。
【００５６】
また可動前面パネル８が開いた状態においても、可動前面パネル８の折曲がり動作に伴い、第一パネル５の表面部の先端部の後方の先端が、第二パネル６の表面部の先端部の前方の先端に近づき、隙間を目立たなくすることができるという、極めて顕著な効果を奏することができる。
【００５７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。例えば、パネル接続部７は、可動前面パネル８の背面の右端部に設ける例を説明したが、数と配置位置はこれに限らない。左端部、中央等にも設けても良い。
【００５８】
実施例１は、奥行寸法と高さ寸法がほぼ同じで、この高さ寸法より横幅寸法が大きい横長の筐体２を備えている空気調和機１について説明したが、これに限るものではない。例えば、奥行寸法より高さ寸法が大きく、この高さ寸法より横幅寸法が大きい横長の筐体２を有する空気調和機であっても良い。その際は、上述した本発明の特徴部を変えることなく、適宜、パネル駆動機構部やパネル接続部を変更しても良い。
【００５９】
また、前部吸込部及び後部吸込部には、埃などのゴミを進入するのを防ぐための、図示しないフィルタが設けられている。
【実施例２】
【００６０】
床置きタイプ
本実施例では、図５と図６を用いて、床置き式の空気調和機に適用した例を説明する。
【００６１】
図５は、本発明の実施例２に係る床置式の空気調和機の説明図である。（Ａ）図は空気調和機の斜視図、（Ｂ）図は、空気調和機の概略側面断面図を示す。
【００６２】
空気調和機１００は、筐体１０１前面に、空気を吸い込む吸込部を開閉する可動前面パネル１０２を備えている。可動前面パネル１０２は、パネル接続部１０５を介して回転可能に接続されている第一パネル１０３と第二パネル１０４と、を備えている。第二パネル１０４は、空気を吸い込む箇所であるグリル１０６を備えている。筐体１０１の上面には、上下風向板１０７が設けられている。
【００６３】
この可動前面パネル１０２は、その下端をパネル支持軸１０８に支持され、上部を後述するパネル駆動機構部１２０に接続され、このパネル駆動機構部１２０の駆動により吸込部１０９を封鎖した状態と、吸込部１０９を開放して空気を筐体１０１内にできるように開放した状態と、に動作させることができる。可動前面パネル１０２の裏側には、吸い込まれた空気から粉塵を除去するフィルタ１１０が配置されている。フィルタ１１０の裏側には、粉塵が除去された空気に対して熱交換をする熱交換器１１１が設けられている。
【００６４】
吹出部１１２は、本体筐体１０１の上方でキャビネット１１３の上部に設けられ、熱交換された空気を吹き出す。ファン（送風用貫流ファン）１１４は、吸込部１０９からフィルタ１１０、熱交換器１１１を経由して、吹出部１１２へ貫ける空気の貫流の風路上に設けられ、その空気を流動させ、風路上に貫流を形成する。筐体１０１は床置きされ、筐体１０１上部において、図示しない制御部と吹出筒１１５（１１５ａ、１１５ｂ）を支持し固定している。吹出筒１１５（１１５ａ、１１５ｂ）は、筒形状をしており、キャビネット１１３と共に、下流側風洞１１６を構成する。下流側風洞１１６が設けられることで、その中を流れる空気の流れが定まり風路となる。
【００６５】
そして、パネル駆動機構部１２０は、第一アーム１２１と、第二アーム１２２と、ガイド部１２３と、図示しない駆動モータとから構成される。第一アーム１２１の一端と第二アーム１２２の一端とは、アーム連結部１２４を介して回転可能に支持されている。第一アーム１２１の他端のモータ軸１２５は、図示しない駆動モータのギアに接続され、モータ軸１２５を中心に第一アーム１２１は回転動作をする。第二アーム１２２の他端は可動前面パネル１０２と接続され、また、ガイド部１２３上を摺動するガイド受部１２６が設けられている。第一アーム１２１が回転することにより、第二アーム１２２上のガイド受部１２６がガイド部１２３に動きを補助されることにより、第一パネル１０３が前方下方に押し出されて可動前面パネル１０２が開閉する。
【００６６】
図５は、実施例２に係る空気調和機の開閉状態を説明する図である。（Ａ）図は可動前面パネルを開いた状態を示す斜視図、（Ｂ）図は可動前面パネル１０２を開いた上体を示す側面断面図である。
【００６７】
この実施例に係る空気調和機１００の大きな特徴の一つは、第一パネル１０３と第二パネル１０４がパネル接続部１０５により回転可能に支持されている可動前面パネル１０２を備えた空気調和機において、第一アーム１２１より第二アーム１２２は長く、閉時には、アーム連結部を筐体１０１の前方下方に収納することが特徴とする。言い換えると、開ける際に、第一アーム１２１は前方下方に動き出すように設置されている。更に、ガイド部１２４は、この第一アーム１２１の初動に沿うように、ガイド部１２４を前方下方に動き出すような形状にした点である。
【００６８】
かかる構成により、第一アーム１２１の回転によりアーム接続部１２３と、ガイド受部１２６が同じく第一アーム１２１とガイド受部１２６が前方下方に力が加わることによって、パネル接続部１０５を前方下方に押し出し、あとは、可動前面パネル１０２の自重によって、くの字状に折れ曲がることができる。従って、吸込部１０９の全面に大きく開口スペースを確保できるので、熱交換器１１１に対して、多くの空気を供給することができる。
【００６９】
また、この実施例に係る空気調和機１００の大きな特徴の一つとして、第一パネル１０３の上部に、平坦面１３０を形成した点である。図４に示す通り、可動前面パネル１０２が閉じた状態において、この平坦面１３０は、フラットな上下風向板１０７と連なって空気調和機１００の上面の一部を形成している。本体正面の可動前面パネル１０２や両側面がフラットであり、木目調や、パステル調のようにデザインを施すことが容易にできるなど、意匠性を高めることができる。床置式の空気調和機は、テーブルや椅子等の家具と同じく、部屋に置かれる製品である。従って、周囲の家具に合わせたデザインが必要になってくるので、かかる構成により、デザインの自由度が広げることができる。
【００７０】
更に、この実施例に係る空気調和機１００の大きな特徴の一つとして、第一パネル１０３の上部に、傾斜面１３１を形成した点である。図５に示す通り、可動前面パネル１０２が開いた状態において、この傾斜面１３１は、吹出筒１１５ｂと連なって吹出部１１６を形成する。より長い吹出部１１６になるので、より前方に風を送ることができる。更に、空気調和機１００の運転時において、この平坦面１３０及び傾斜面１３１が吹出部１１６から吹き出された風を、吸込口１０９に流入することを防ぐことができ、ショートサーキットの発生を抑えることができる。
【００７１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００７２】
１、１００…空気調和機、２…筐体、３…吹出部、４…可動ルーバ、５…第一パネル、６…第二パネル、７…パネル接続部、８…可動前面パネル、９…吸込部、１０…上部吸込部、１１…前部吸込部、１２…空気流路、１３…環流フアン、１４…熱交換器、１５…前部ドレン皿、１６…後部ドレン皿、１７…パネル支持軸、２０、１２０…パネル駆動機構部、２１…第一アーム、２２…第二アーム、２３…ガイド部、２４…アーム連結部、２５…モータ軸、２６…ガイド受部、２７…パネル接続部、３０…パネル回転軸部、３１…回転軸受部、３２…回転軸、３３…孔、３４…第一傾斜面、３５…第二傾斜面
【図１】
0006418865.tif 000002
【図２】
0006418865.tif 000003
【図３】
0006418865.tif 000004
【図４】
0006418865.tif 000005
【図５】
0006418865.tif 000006
【図６】
0006418865.tif 000007
【図７】
0006418865.tif 000008